(57)【特許請求の範囲】
【請求項１】
ハンドル部が互いに独立した左右の部分から構成され、これらの部分どうしが連結部で連結されて一体に組み立てられ、且つ、ハンドル部に操作レバーが回動可能に軸支されている内視鏡手術用器具において、
操作レバーの一部に分離カム面を設けるとともに、ハンドル部の左右の部分の少なくとも一方には、操作レバーの通常の操作範囲を越える回動位置で分離カム面と当接するカム当接面を設け、
操作レバーの通常の操作範囲から離れる向き、且つ、通常の操作範囲を超える回動操作によって、分離カム面がカム当接面を押圧してハンドル部の左右の部分を押し分け、連結部を強制的に分離するようにしたことを特徴とする内視鏡手術用器具のハンドル部分解構造。
【発明の詳細な説明】
【０００１】
【発明の属する技術分野】
本発明は、内視鏡手術において用いられる手術用器のハンドル部を分解するための構造に関し、特に、使用後廃棄する手術用器具の樹脂製のハンドル部から、その内部に組み込まれている金属製部品の分別を容易にするためのハンドル部分解構造に関する。
【０００２】
【従来の技術】
近年、体腔内の疾患を治療する外科手術においては、切開手術に比較して感染の危険が少なく、また傷の治りがはやい等の理由から、内視鏡手術が行われる場合が多い。
【０００３】
内視鏡手術は、患者の胸部や腹部にトロカーを用いて小さな孔を複数箇所に穿ち、それぞれの孔から体腔内にカニューレ管を差し込み、内視鏡と手術用器具とを個別のカニューレ管に差し込んで、内視鏡で患部を観察しながら行う手術である。
【０００４】
このような、内視鏡手術で用いられる鉗子やクリップ等の手術用器具類は、一般に、カニューレ管内を通じて患者の胸部や腹部内に挿入される細長い軸部と、この軸部が取り付けられている、外科医が手で保持するハンドル部とから構成されている。
【０００５】
この種の手術用器具類は、ディズポーザブルと再利用可能なリユースの２つのタイプがあり、前者のディスポーザブルの場合には、一人の患者に使用した手術用器具類は、再利用せずに廃棄する必要がある。
【０００６】
【発明が解決しようとする課題】
しかしながら、前述したような従来のディスポーザブルの手術用器具は、金属製の部品と樹脂製の部品とを分別して廃棄することを前提とした構造でないため、医療廃棄物の処理コストが嵩むといった問題があった。
【０００７】
そこで、手術用器具を使用後に廃棄する際に、これらの金属製の部品と樹脂製のを分別して回収することができれば、医療廃棄物の処理コストを低減することができる。
【０００８】
ところが、従来のこの種の手術用器具類は、内部に金属製の部品が組み込まれている樹脂製のハンドル部が、接着や溶着等の固着手段によって接合されて組み立てられているため、容易に分解することができず、ハンドル部から金属製の部品を分別しようとすると、多大な手間と時間を要してしまう問題があった。
【０００９】
そこで、本発明は、前述したような従来技術の問題を解消し、廃棄する際に、ハンドル部内の金属製部品を容易に分別できるようにした内視鏡手術用器具のハンドル部分解構造を提供することを目的とする。
【００１０】
【課題を解決するための手段】
前記目的を達成するため、本発明の内視鏡手術用器具のハンドル部分解構造は、ハンドル部が互いに独立した左右の部分から構成され、これらの部分どうしが連結部で連結されて一体に組み立てられ、且つ、ハンドル部に操作レバーが回動可能に軸支されている内視鏡手術用器具に適用される。
【００１１】
前記ハンドル部分解構造は、操作レバーの一部に分離カム面を設けるとともに、ハンドル部の左右の部分の少なくとも一方には、操作レバーの通常の操作範囲を越える回動位置で分離カム面と当接するカム当接面を設け、操作レバーの通常の操作範囲から離れる向き、且つ、通常の操作範囲を超える回動操作によって、分離カム面がカム当接面を押圧してハンドル部の左右の部分を押し分け、連結部を強制的に分離するようにしている。
【００１４】
【発明の実施の形態】
本発明の内視鏡手術用器具のハンドル部分解構造の第１のものは、ハンドル部が独立した複数の部分から構成されている鉗子やクリップ装着器、自動縫合器等に幅広く適用することができる。
【００１５】
これらの内視鏡手術用器具は、内部に可動部品を内蔵するハンドル部が樹脂材料で形成された独立した複数の部分を合わせて構成されており、これらの部分は連結部を介して一体に連結されている。
【００１６】
ハンドル部を構成するこれら複数の部分は、例えば、ハンドル部を左右に分割する２つの部分として構成することができ、この場合、連結部は、左右２つの部分の対向位置にそれぞれ形成したダボ穴と、これらのダボ穴に両端が圧入されるダボによって構成することができる。
また、ハンドル部の左右それぞれの部分の内側の対向位置にフック状の連結部を設け、これらを互いに係合させて２つの部分を一体に連結してもよい。
【００１７】
連結部は１箇所以上、例えば、離間した２箇所に設けることができ、これらの連結部は、相互に連結しているハンドル部の各部分間に引き離す外力が作用したときに、一定の力以上で分離するか、係合が外れるか、あるいは破断して、連結されている部分が分離されるようになっていればよい。
【００１８】
また、ハンドル部は、上下方向や前後方向に分割された部分から構成されていてもよく、さらに、３つ以上の部分が連結部によって、一つのハンドル部に組み立てられていてもよい。
【００１９】
本発明のハンドル部分解構造の第１のものにおいては、連結部を強制的に分離するために、連結部で相互に連結されている部分の接合面間外周の少なくとも一部に溝部を形成している。
【００２０】
前記溝部には、マイナスドライバーのような工具を差し込んでこじることで、接合面どうしが押し拡げられ、連結部が分離される。なお、溝部は、硬貨をドライバー代わりに差し込んで使用できる寸法形状に形成しておいてもよい。
なお、請求項１の記載中の「工具等」には、マイナスドライバーと同様に利用できる硬貨も含むものとする。
【００２１】
溝部は、ハンドル部の互いに連結部で連結されている相互の部分の接合面間外周全体に連続して設けてもよいし、一部にのみ設けてもよい。また、溝部は、連結部で連結されている部分どうしの接合面のいずれか一方の側のみに設けてもよく、また、両方の接合面にまたがって設けてもよい。
【００２２】
本発明の内視鏡手術用器具のハンドル部分解構造の第２のものは、ハンドル部が独立した左右の部分から構成されていて、これらの左右の部分どうしが、前述した第１のものと同様に、１つ以上の連結部を介して連結されているもので、且つ、ハンドル部に対して回動自在に軸支されている操作レバーを有している鉗子やクリップ装着器、自動縫合器等に適用することができる。
【００２３】
本発明の内視鏡手術用器具のハンドル部分解構造の第２のものにおいては、鉗子の体組織を掴むためのフィンガーの開閉動作や、クリップ装着器のクリップ打ち込み動作等を行うために設けられている操作レバーを、通常の使用時における操作範囲を越えた位置まで回動することで、ハンドル部の左右の部分を連結している連結部を強制的に分離するようにしている。
【００２４】
そのために、操作レバーには分離カム面が設けられており、前記分離カム面は、操作レバーが通常操作範囲を越えた位置で、ハンドル部の左右の部分の少なくとも一方に設けられているカム当接面と当接し、操作レバーをさらに前記通常の操作範囲から離れる向きに回動したときに、分離カム面がカム当接面を押してハンドル部の左右の部分どうしを引き離すように機能する。
【００２５】
前記分離カム面は、例えば、操作レバーの左右両側面に前記操作レバーの回動方向に傾斜して形成された楔状の傾斜面で構成することができ、一方、これに対応するカム当接面は、ハンドル部の左右の部分のそれぞれの内側に形成された、前記楔状の傾斜面と同方向に傾斜した傾斜面で構成することができる。
【００２６】
なお、分離カム面は操作レバーの左右何れか一方の側面に設け、また、ハンドル部には、この分離カム面と対向する左側部分または右側部分の何れか一方にのみカム当接面を設けてもよい。
【００２７】
さらに、操作レバーに設けられる分離カム面と、ハンドル部側に設けられる前記分離カム面に当接するカム当接面の輪郭形状は、前述した形状に限定するものでなく、操作レバーの通常の操作範囲から離れる向きの回動で、ハンドル部の左右の部分どうしを引き離すことができる形状であればよい。
【００２８】
【実施例】
以下、図面に基づいて、本発明の実施例を詳細に説明する。図１は、本発明の内視鏡手術用器具のハンドル部分解構造の第１実施例としての、内視鏡手術用鉗子の斜視図であって、鉗子１は樹脂製のハンドル部２と、前記ハンドル２の前端から前方に突出している金属製の細長い軸部３とを有している。
【００２９】
軸部３の前端には、一対のフィンガ４が開閉自在に軸着されているフィンガ支持部５が設けられていて、これら一対のフィンガ４は、ハンドル部２の指掛けリング２Ａの後方で回動自在に軸支されている操作レバー６を後方（図中ａ方向）に回動することにより開き、また、前方（図中ｂ方向）に回動することにより閉じるようになっている。
【００３０】
ハンドル部２の前端下部には、ラチェット解放スイッチ７が、ハンドル部２に対して略前後方向にスライド自在に設けられている。また、ハンドル部２のラチェット解放スイッチ７の上方には、フィンガ回転ノブ８が取り付けられている。
【００３１】
前記フィンガ回転ノブ８はこれを手で回すことにより、軸部３をその中心軸線回りにフィンガ支持部５と一体に回転させることができ、一対のフィンガ４の向きを回転させて、様々な向きで体内の組織を掴むことができるようになっている。
【００３２】
また、ハンドル部２の頂部には端子９が後方に突出して設けられている。この端子９は一対のフィンガ４と電気的に接続されていて、端子９に図示しない外部電源から通電することにより、これらのフィンガ４が掴んでいる体組織に電流を流し、止血等の処置を行えるようになっている。
【００３３】
次に、図２は、鉗子１のハンドル部２を分解した状態を示す斜視図であって、ハンドル部２は、指掛けリング２Ａの大半を含む右側部分２Ｂと、残りの左側部分２Ｃとを左右から合わせて構成されている。
【００３４】
これらの２つの部分２Ｂ、２Ｃは、それぞれの内側の２箇所の対向位置に形成されているダボ穴１０、１１に、ダボピン１２、１３の両端の小径部分を圧入して一体に組み立てられるようになっている。
なお、本実施例中のこれらのダボ穴１０、１１とダボピン１２、１３は、請求項１に記載されている発明における連結部に該当するものである。
【００３５】
これらのダボピン１２、１３の両端付近の小径の部分の外周面には、細かいセレーションが形成されてダボ穴１０、１１の内周面と摩擦係合する構造になっており、ハンドル部２を構成している２つの部分２Ｂ、２Ｃどうしを、通常の使用状態では分離しないように強固に結合している。
【００３６】
操作レバー６は、ハンドル部２の右側部分２Ｂ内側に突出している軸１４回りに回動自在に支持されており、また、軸部３内部を摺動自在に貫通しているフィンガ開閉ロッド１５後端の連結ピボット１６に回動自在に連結されている。
【００３７】
フィンガ開閉ロッド１５の前端部は、一対のフィンガ４とリンク結合されていて、操作レバー６の回動が一対のフィンガ４の開閉運動に変換されるように構成されている。
【００３８】
また、フィンガ開閉ロッド１５の後端付近は、導電板１７を介して端子９に電気的に連結されており、端子９から一対のフィンガ４へのフィンガ開閉ロッド１５を通じて通電されるようになっている。
【００３９】
一方、操作レバー６には鋸歯状のラチェット歯Ｔが形成されていて、このラチェット歯Ｔが、ラチェット１８に形成されている爪ｔと噛み合うことで、フィンガ４の開く向きの操作レバー６の回動、すなわち、図１におけるａ方向の回動がロックされる構造となっている。
【００４０】
ラチェット１８は、軸１４と同様にハンドル部２の右側部分２Ｂの内側に突出している軸１９に回動自在に支持されていて、ラチェットバネ２０によって、常時爪ｔがラチェット歯Ｔに噛み合うように付勢されている。
【００４１】
また、前記ラチェット１８は、ラチェット解放スイッチ７を前方へスライドさせることによって、ラチェット歯Ｔに対して爪ｔが離間した状態に保持され、この状態でフィンガ４を開くことが可能となっている。
【００４２】
前述したように構成されている鉗子１は、ハンドル部２内に端子９やラチェットバネ２０、導電板１７、フィンガ開閉ロッド１５等の金属材料で製作された部品を含んでおり、これらの部品は、使用済みの鉗子１を廃棄する際に、ハンドル部２から分別される。
【００４３】
使用済みの鉗子１のハンドル部２を分解する場合は、ダボピン１２、１３で結合されている右側部分２Ｂと左側部分２Ｃを分離する。この作業を容易にするために、本実施例の鉗子１においては、図３及び図４に示すように、ハンドル部２を構成している右側部分２Ｂと左側部分２Ｃの接合面外周の前側と後側に、それぞれマイナスドライバー等の工具を差込可能な溝部２１、２２が形成されている。
【００４４】
これらの溝部２１、２２は、ハンドル部２の両側の部分２Ｂ、２Ｃの接合面外周部の同１箇所に対向してそれぞれ半分の幅ずつ形成されており、これらの部分２Ｂ、２Ｃが一つに合わせられたときに、マイナスドライバー等の刃先が差し込み可能な幅の溝になるように形成されている。
【００４５】
図５は、分解したハンドル部２を前方から見た位置での溝部２１の形状を示しており、図示はしていないが、後側の溝部２２も同様な形状となっている。
【００４６】
本実施例においては、ハンドル部２の２つの部分２Ｂ、２Ｃどうしの結合を、ハンドル部２の指掛け部２Ａ上部付近と、ハンドル部の後方上端付近の２箇所に配置されたダボピン１２、１３によって行っているため、２箇所の溝部２１、２２は、ハンドル部２外周のこれらのダボピン１２、１３に接近した位置に設けてある。
【００４７】
ハンドル部２を分解する際は、まずこれらの溝部２１、２２のうち、片方の溝部にマイナスドライバー等の工具を差し込んでこじり、２つの部分２Ｂ、２Ｃの接合面間に僅かに隙間が生じたら、こんどは他方の溝部に工具を差し換えて同様にこじり、２つの部分２Ｂ、２Ｃ間の隙間が大体均一に増加するように作業することで、これらのダボピン１２、１３はそれぞれのダボ穴１０、１１から抜け出し、ハンドル部２は容易に２つの部分２Ｂ、２Ｃに分解することができる。
【００４８】
次に、図６は本発明の内視鏡手術用器具のハンドル部分解構造の第２実施例としての、内視鏡手術用クリップ装着器の斜視図である。
クリップ装着器３１は、内視鏡手術において、略Ｕ字形状のクリップを用いて血管や腸のような管状の器官を挟んで閉塞し、止血等を行うために用いる手術用器具であって、樹脂製のハンドル部３２と、前記ハンドル部３２の前端から前方に突出している金属製の細長い軸部３３とを有している。
【００４９】
前記軸部３３には、血管等に装着するためのクリップが複数個、軸方向に並べて収容されており、ハンドル部３２のグリップ３２Ａを手で握って操作レバー３４を１回引く毎に、一つずつ一対のクリップ装着爪３５間に供給されるとともに、これらのクリップ装着爪３５が、略Ｕ字型のクリップを左右両側から圧迫してこれを血管等に装着する動作を行うように構成されている。
【００５０】
また、ハンドル部３２の前端には、回転ノブ３６が軸部３３及び一対のクリップ装着爪３５と一体となって、軸部３３の中心軸線回りに回転できるように取り付けられていて、この回転ノブ３６を手で回すことによって、血管等のクリップ装着部位の向きに応じてクリップ装着爪３５の向きを回転できるように構成されている。
【００５１】
なお、本実施例のクリップ装着器３１においては、軸部３５内に収容されているクリップの残数をカウントするカウンタ機構が内蔵されており、ハンドル部３２の左側の側面後部に形成されている表示窓３７にクリップの残数が表示されるようになっている。
【００５２】
図７は、グリップ装着器３１のハンドル部３２の分解斜視図であって、同図に示すように、ハンドル部３２は、左右に略対称な右側部分３２Ｂと左側部分３２Ｃとを合わせて一体に組み立てられている。
【００５３】
ハンドル部３２の内部には、軸部３３内に収容されたクリップを一対のクリップ装着爪３５に送り込む動作と、これらのクリップ装着爪３５を閉じる方向に変位させてクリップを閉じ、血管等に装着する動作を行う軸部３３内の可動部材（図示せず）に操作レバー３４の動作を伝達するためのプッシュプレート３８が組み込まれている。
【００５４】
前記プッシュプレート３８の後部には、ガイドピン３９が貫通するガイドピン保持部３８Ａが形成されている。また、プッシュプレート３８は、ハンドル部３２との間に介装された圧縮コイルバネからなるリターンバネ４０によって常に後退する方向に付勢されている。
【００５５】
ガイドピン３９は、ガイドピン保持部３８Ａから左右両側に突出した部分が、図８に詳細に示す操作レバー３４の上端部に形成されている、作動腕３４Ａのピン係合孔３４Ｂ内に配置されている。
【００５６】
作動腕３４Ａには、その中央部分にスリット３４Ｃが形成されており、このスリット３４Ｃ内にプッシュプレート３８の扁平なピン保持部３８Ａが差し込まれるようになっている。
【００５７】
また、操作レバー３４には、作動腕３４Ａの下方に、後方に向けて左右両側から楔状に先細りに傾斜した一対の分離カム面３４Ｅが形成されている。前記分離カム面３４Ｅの役割については後述する。
【００５８】
次に、図９は、ハンドル部右側部分３２Ｂの内側側面図、図１０は、図９のＸ−Ｘ線位置における矢印方向から見た断面図であり、また、図１１は、ハンドル部左側部分３２Ｃの内側側面図、図１２は、図１１のＸ−Ｘ線位置における矢印方向から見た断面図である。
【００５９】
図９及び図１１に示すように、ハンドル部３２の右側部分３２Ｂと左側部分３２Ｃのそれぞれの内側には、それぞれ操作レバー軸Ｊが対向位置で突出して形成されており、これらの操作レバー軸Ｊが、図８に示す操作レバー３４の両側から軸孔３４Ｄ内に差し込まれることによって、操作レバー３４がハンドル部３２に対して回動自在に支持される構造となっている。
【００６０】
また、ハンドル部３２の右側部分３２Ｂの内側と、左側部分３２Ｃの内側の対向位置には、前述したガイドピン３９の両端をそれぞれ係入させて前後方向にスライド自在に案内するガイド溝Ｇ１が形成されている。
【００６１】
また、ハンドル部３２の右側部分３２Ｂの内側周縁にはそのほぼ全周に亘って連続した凹状の嵌合溝Ｇ２が形成されており、この嵌合溝Ｇ２には、これと対向する左側部分３２Ｃの内側周縁に形成されている連続した突条Ｐが嵌合して、右側部分３２Ｂと左側部分３２Ｃとが段差なく一体に合わせられるようになっている。
【００６２】
なお、ハンドル部３２は構造を簡略化するために、これらの嵌合溝Ｇ２と突条Ｐを省略して左右の部分３２Ｂ、３２Ｃのそれぞれの内側周縁の対向面を平坦に形成し、これらの対向面どうしを突き合わせる構造としてもよい。
【００６３】
また、図９及び図１０に示すように、右側部分３２Ｂの内側からは複数箇所にダボＤが突出していて、これらのダボＤが図１１及び図１２に示す左側部分３２Ｃの対向位置に形成されているダボ孔Ｈに嵌入し、両側の部分３２Ｂ、３２ＣとうしがこれらのダボＤとダボ孔Ｈとの摩擦係合によって強固に連結されるようになっている。
【００６４】
本実施例においては、それぞれのダボＤに割溝が形成されており、ダボ孔Ｈへの圧入時にこれらの割り溝が狭まるようにダボＤが弾性変形することで、圧入を容易にしている。
なお、本実施例におけるこれらのダボＤとダボ孔Ｈは、請求項２に記載されている発明における連結部に該当するものである。
【００６５】
一方、図９及び図１１に示すように、ハンドル部３２の右側と左側の部分３２Ｂ、３２Ｃのそれぞれの内側には、低いリブＲ１と高いリブＲ２が形成されていて、これらのリブＲ１、Ｒ２の間は直線状に傾斜したリブＲ３によって連続している。
【００６６】
これらの傾斜したリブＲ３は、操作レバー３４を通常の動作範囲よりもさらに前方に回動させたときに、前述した左右の分離カム面３４Ｅが当たる位置に設けられている。
【００６７】
なお、この実施例における、分離カム面３４Ｅと当接するこれらのリブＲ３の傾斜面は、請求項２に記載されている発明におけるカム当接面に該当するものである。
【００６８】
前述したように構成されているクリップ装着器３１は、操作レバー３４を引くと、その作動腕３４Ａ側が操作レバー軸Ｊ回りに前方へ回動し、ピン係合孔３４Ｂにガイドピン３９を介して連結されているプッシュプレート３８は、リターンバネ４０の付勢力の抗して前進する。
【００６９】
プッシュプレート３８が前進することにより、軸部３３内に収容されているクリップの先頭の一つが一対のクリップ装着爪３５間に供給されて血管等に装着される。
【００７０】
また、この実施例においては、操作レバー３４を１回操作する毎に、プッシュプレート３８とガイドピン３９を介して連結されている送り爪４１が、カウンタ機構４０を構成している側面に数字が記されたラチェットホイール４０Ａを
１歯分回転し、表示窓３７を介して表示されるクリップ残数を一つずつ減少させる。
【００７１】
次に、クリップ装着器３１を使用後に分解して、ハンドル部３２内の再利用可能な部品を取り出す場合には、図１３に示すように、操作レバー３４を通常の回動範囲を越えて前方、すなわち矢印Ａの向きに力を入れて回動する。
【００７２】
そうすると、通常は操作レバー３４の回動範囲を制限している、ハンドル部３２側に設けられたストッパピンＰ１によって、操作レバー３４に設けられている強度の小さい作動腕３４Ａは破断されて、操作レバー３４の残りの部分は図１３に示す位置まで回動させることができる。
【００７３】
こうして、操作レバー３４を通常とは逆方向に回動させることで、操作レバー３に形成されている左右の分離カム面３４Ｅが、ハンドル部３２の右側部分３２Ｂと左側部分３２Ｃにそれぞれ形成されている直線状に傾斜したリブＲ３に当たってこれらを左右に押し広げる。
【００７４】
その結果、ハンドル部３２の右側部分３２Ｂ側に設けられているダボＤが、左側部分３２Ｃに設けられているダボ穴Ｈから強制的に抜き出されて、ハンドル部３２は右側部分３２Ｂと左側部分３２Ｃに分解される。
【００７５】
こうして分解されたハンドル部３２は、軸部３３や回転ノブ３６が分離されるとともに、内部の金属部品類が分別される。
【００７６】
【発明の効果】
以上に説明したように、本発明の内視鏡手術用器具のハンドル部分解構造によれば、ハンドル部内の金属部品を容易に分別できるため、使用後の廃棄処理のコストを低減させることができる。
【００７７】
そして、特に、請求項１記載の発明によれは、ドライバのような簡単な工具等で内視鏡手術用器具のハンドル部を容易に分解することができ、ハンドル部内の金属部品の分別作業を効率的に行うことができる。
【００７８】
また、特に、請求項２記載の発明によれば、作業者が何ら工具類を用いることなく、内視鏡手術用器具のハンドル部を簡単に分解することができ、ハンドル部内からの金属部品の分別作業をより効率的に行うことができる。
【図面の簡単な説明】
【図１】  本発明の内視鏡手術用器具のハンドル部分解構造の第１実施例としての内視鏡手術用鉗子の斜視図である。
【図２】  図１に示す鉗子の分解斜視図である。
【図３】  図１に示す鉗子のハンドル部右側部分の内側側面図である。
【図４】  図１に示す鉗子のハンドル部左側部分の内側側面図である。
【図５】  図１に示す鉗子のハンドル部を前方から見た分解図である。
【図６】  本発明の内視鏡手術用器具のハンドル部分解構造の第２実施例としての内視鏡手術用クリップ装着器の斜視図である。
【図７】  図６に示すクリップ装着器の要部分解斜視図である。
【図８】  図６に示すクリップ装着器に用いられている操作レバーの斜視図である。
【図９】  図６に示すクリップ装着器のハンドル部右側部分の内側側面図である。
【図１０】  図９のＸ−Ｘ線位置の矢印方向から見た断面図である。
【図１１】  図６に示すクリップ装着器のハンドル部左側部分の内側側面図である。
【図１２】  図１０のＸ−Ｘ線位置の矢印方向から見た断面図である。
【図１３】  図６に示すクリップ装着器の操作レバーを分解位置に回動させた状態を示す図である。
【符号の説明】
１    鉗子、  ２    ハンドル部、  ２Ａ    指掛けリング、
２Ｂ    右側部分、  ３    軸部、  ４    フィンガ、  ５    フィンガ支持部、６    操作レバー、  ７    ラチェット解放スイッチ、
８    フィンガ回転ノブ、  ９    端子、  １０、１１    ダボ穴、
１２、１３    ダボピン、  １４    軸、  １５    フィンガ開閉ロッド、
１６    連結ピボット、  １７    導電版、  １８    ラチェット、
１９    軸、  ２０    ラチェットバネ、  ２１、２２    溝部、
３１    クリップ装着器、  ３２    ハンドル部、  ３２Ａ    グリップ、
３２Ｂ    右側部分、  ３２Ｃ    左側部分、  ３３    軸部、
３４    操作レバー、  ３４Ａ    作動腕、  ３４Ｂ    ピン係合孔、
３４Ｃ    スリット、  ３４Ｄ    軸孔、  ３４Ｅ    分離カム面、
３５    クリップ装着爪、  ３６    回転ノブ、  ３７    表示窓、
３８    プッシュプレート、  ３８Ａ    ガイドピン保持部、
３９    ガイドピン、  ４０    リターンバネ、  ４１    送り爪、
４２    カウンタ機構。
【図１】
0003839223.tif 000002
【図２】
0003839223.tif 000003
【図３】
0003839223.tif 000004
【図４】
0003839223.tif 000005
【図５】
0003839223.tif 000006
【図６】
0003839223.tif 000007
【図７】
0003839223.tif 000008
【図８】
0003839223.tif 000009
【図９】
0003839223.tif 000010
【図１０】
0003839223.tif 000011
【図１１】
0003839223.tif 000012
【図１２】
0003839223.tif 000013
【図１３】
0003839223.tif 000014